(57)【要約】本発明は、戸棚に関する新型的な複合板材を目的として提供する。その外、連結力を高めて、解体できて、連結し易い複合板戸棚を目的として提供する。【解決手段】複数の支え板及び複数の棚を具備し、支え板には側支え板と横支え板があって、複数の支え板を固定連結することによって枠組を構成して、棚を支え板と支え板との間で連結して、棚と支え板で複数の放置空間になり、その支え板を全部或は一部分で複合板から構成して、複合板にはパネル、底板、巣状材とライニングがあって、巣状芯をパネルと底板の間に充填し、ライニングがパネルと底板との間に挟まれて、ライニングが複合板との間の接続作用を発揮すると共に、補強の役目もはたすようにした複合板戸棚。【選択図】図１
2008546434.tif 000002
【特許請求の範囲】
【請求項１】
複数の支え板と複数の棚があって、支え板を側支え板と横支え板に分けて、複数の支え板を固定連結して枠組になり、棚を支え板の間に連結し、支え板と棚の取合せから複数の放置空間を形成することを構成した複合板戸棚において、前記の支え板と棚の全体或いは一部は複合板であり、複合板はパネル、底板、巣状芯、それにライニングからなり、巣状芯はパネルと底板の間に充填し、ライニングはパネルと底板との間に挟み、ライニングは複合板の間の連接が働き、或いは、同時に補強の役目をはたすようにしたことを特徴とする複合板戸棚。
【請求項２】
複合板のライニングは巣状芯の周辺に沿って完全に或いは間隔があって巣状芯を包んで、各支え板の互いに連結している所或いは支え板と棚と連結している所に配置されるようにしたことを特徴とする請求項１記載の複合板戸棚。
【請求項３】
棚は前記支え板の構造と同じ複合板或いはライニング無しの前記複合板であるようにしたことを特徴とする請求項１記載の複合板戸棚。
【請求項４】
前記複合板の局部に板材ライニングを配置し、ライニングは巣状芯の上面或いは下面に直接積圧するようにしたことを特徴とする請求項１記載の複合板戸棚。
【請求項５】
前記複合板のライニングは枠組の構造になり、枠組底板の周辺に延伸板で作った角が熔接されて、且つ下底板或いは上パネルの一側に近づくようにしたことを特徴とする請求項１記載の複合板戸棚。
【請求項６】
前記複合板の巣状芯は一体になれてライニングの中央に配置し、或いは数塊に分けてライニングの裏又は外に配置されるようにしたことを特徴とする請求項１記載の複合板戸棚。
【請求項７】
支え板の間、棚の間、又は支え板と棚との間にある固定連結はみんな解体できる掛け式リンクであるようにしたことを特徴とする請求項１記載の複合板戸棚。
【請求項８】
前記の棚は複合板であり、複数の支え板はみんな複合板であり、前記掛け式リンクの複合板が二枚ずつの中では、第一プラスチック製複合板には、その内にライニングを埋めて配置され、当ライニングの上に第一プラスチック製複合板の外側に現れ出す掛け式溝を設け、第二プラスチック製複合板には、その内に強化件又はライニングを埋めて配置され、当強化件又はライニングの上に第二プラスチック製複合板から突き出すスナップを設け、第一のプラスチック製複合板と第二のプラスチック製複合板は当スナップを掛け式溝にかけることによって固定連結するようにしたことを特徴とする請求項７記載の複合板戸棚。
【請求項９】
前記プラスチック製複合板のパネルと底板は皆吸い込むことによって成型したプラスチック板の結合板であり、パネルと底板の積層部はプラスチック製複合板の側面又は底板にあり、パネルと底板の積層縁部は熔接又はゴムのりで連接するようにしたことを特徴とする請求項１記載の複合板戸棚。
【請求項１０】
前記プラスチック製複合板のパネルと底板はみんなプラスチック製シートであり、パネルと底板の周辺にエッジシーリングを包むようにしたことを特徴とする請求項１記載の複合板戸棚。
【請求項１１】
前記プラスチック製複合板のパネルと底板の縁部は重ね合わせて連接し、底板周囲の縁部は裏に向いて吸い込んで一つの階段になり、階段の高さはパネルの厚さと同じ、パネルの縁部は階段と対応するようにしたことを特徴とする請求項９或は請求項１０記載の複合板戸棚。
【請求項１２】
前記底板周囲の縁部は上に折ってライニング側面の一部を包んで、パネル周囲の縁部は下に折ってライニングの側辺及び底板周囲の縁部を包んで、パネルの側辺はライニングの側辺にあるところで底板と固定連結するようにしたことを特徴とする請求項８記載の複合板戸棚。
【請求項１３】
前記底板周囲の縁部はライニングの底辺に近づいて、底板の縁部はライニングの底辺の中部に固定連結し、パネル周囲の縁部は下に折ってライニングの側面縁部を包んで、パネルの縁部はライニングの底辺のところで底板と固定連結するようにしたことを特徴とする請求項８記載の複合板戸棚。
【請求項１４】
前記巣状芯は単層の巣状紙芯であるようにしたことを特徴とする請求項１記載の複合板戸棚。
【請求項１５】
前記巣状紙芯は単層の巣状板紙からなり、巣状板紙は巣状紙芯と上紙と下紙から構成して、巣状紙芯は上紙と下紙の間に挟んで、そして上紙や下紙と粘着して固定連結するようにしたことを特徴とする請求項１４記載の複合板戸棚。
【請求項１６】
前記スナップにはプラスチック製掛け式リンク、L形に折る金属板、直接にプレス成型してL形になった板状物或いは階段形のピンがあって、前記掛け式溝は長方形の溝、楕円形の溝あるいは階段形の溝であり、しかも溝の構造はスナップの構造と対応するようにしたことを特徴とする請求項８記載の複合板戸棚。
【請求項１７】
前記第一プラスチック製複合板と第二プラスチック製複合板の間にはL型、T型或いは一字型を呈して固定連接するようにしたことを特徴とする請求項８記載の複合板戸棚。
【請求項１８】
複数の支え板と複数の棚があって、棚を支え板に固定連結し、支え板
を互いに連接して戸棚の枠組になって、棚と支え板の取合せから複数の放置空間を形成することを構成した複合板戸棚において、前記支え板と棚の全体或いは一部は複合板であり、前記複合板はパネルと底板とライニング及び巣状芯からなり、そのライニングの一部は外に漏出して、局部は巣状芯とパネルと底板に包まれているようにしたことを特徴とする複合板戸棚。
【請求項１９】
枠組と複数の棚を持ち、棚を外部枠組のなかに固定連結して、棚と外部枠組から複数の放置空間になり、外部枠組は金属製の管状機材からなる枠組であることを構成した複合板戸棚において、棚の全体或いは一部は複合板であり、その複合板はパネル、底板、それに巣状芯からなり、巣状芯はパネルと底板の間に充填するようにしたことを特徴とする複合板戸棚。
【請求項２０】
前記複合板にはライニングもあって、そのライニングは巣状芯の周辺に沿って巣状芯を完全に或いは間隔があって包んで、各支え板の互いに連結する所或は支え板と棚との連結する所に配置するようにしたことを特徴とする請求項１９記載の複合板戸棚。
【請求項２１】
複数の支え板と複数の棚を有し、支え板を側支え板と横支え板に分けて、複数の支え板を固定連結して枠組になり、棚を支え板の間に連結し、支え板と棚の配合によって複数の放置空間を形成することを構成した複合板戸棚において、前記の支え板と棚の全体或いは一部は複合板であり、複合板はパネルと底板とプラスチック製の発泡した芯及びライニングからなり、プラスチック製の発泡した芯はパネルと底板の間に充填し、ライニングはパネルと底板に挟まれて、ライニングは複合板の間の連接が働くと同時に、補強の役目をはたすようにしたことを特徴とする複合板戸棚。
【発明の詳細な説明】
【技術分野】
【０００１】
本発明は戸棚に関して、更に詳しくは、プラスチック製複合板から製造する複合板戸棚に関連するものである。
【背景技術】
【０００２】
近代的な家具の中、戸棚は実用性の特徴を持つため、広めに職場、書斎、寝室などの場合に使わられている。しかし、現有の戸棚は大体に材木で作っている。人々の生態環境に対する重視に従って、このような森林を伐採して、生態環境を破壊して、材木を得て、更に戸棚を製造する方法は、すでにプラスチック板を使って製造する方法に代わってきた。しかし、プラスチック板から連結して製造した現有の戸棚も以下の欠点が存在する。（１）戸棚のプラスチック板は大きい圧力に耐えることができない。（２）戸棚の各プラスチック板の間で固定連結しにくくて、接続力の強さも高くない。（３）戸棚に使う各プラスチック板の間は不可解体的に固定連結して、貯蔵又は運送する時、体積は大きくて、占用空間が大きい。（４）戸棚のプラスチック板の強さを増加するため、普通はソリッドプラスチック板を採用して、ソリッドプラスチック板の重量は重くて、しかも材料を無駄使いした。
【発明の開示】
【発明が解決しようとする課題】
【０００３】
本発明一つの目的は戸棚に関する新型的な複合板材を提供する。
【０００４】
本発明もう一の目的は接結力を高めて、解体するのもできて、便利につながることができる複合板戸棚を提供する。
【０００５】
本発明は下記の技術手段を採用する。本発明の複合板戸棚において、複数の支え板と複数の戸棚があり、支え板について、側支え板と横支え板が二種類含まられていて、複数の支え板を固定連結して外部の枠組を形成して、棚を支え板の間に固定して複数の放置空間になり、前記複数の支え板の全部或いは一部分は複合板からなり、複合板にはパネル、底板、巣状芯及びライニングがあって、巣状芯をパネルと底板の間に充填して、ライニングがパネルと底板の間に挟まられて、複合板の接続作用を発揮すると同時に板の強さを増加することにも役目をはたす。
【０００６】
前記複合板のライニングは巣状芯の周辺に沿って完全に或いは間隔があって巣状芯を包んでいて、各支え板の相互連結の所又は支え板と棚のつながっている所に配置され、棚の構造は支え板と同じ、或いはライニングの含まない前記の複合板である。
【０００７】
前記複合板は一部に板材のライニングを配置されて、ライニングは直接に巣状芯の上或いは下に積層する。このような構造で巣状芯のなかにライニングを設置する空間を譲る必要がなくて、ライニング配置されている部分はネジなどの普通の接続方法で複合板や他の部位とつながることができる。
【０００８】
前記複合板に配置されたライニングは枠組構造であり、枠組底面の周辺に熔接している板材で作られた角を伸び出して、そしてパネルや下底板の片側に近づく。
【０００９】
前記複合板の巣状芯は一体にできてライニングの中央に配置されて、或いは数塊に分けてライニングの裏や外に配置される。
【００１０】
前記複数の支え板の間、複数の棚の間あるいは支え板と棚の間にある固定連結はみんな解体することができる掛け式リンクである。
【００１１】
前記棚の構造は支え板と同じであり、複数の支え板は皆プラスチック製複合板であり、前記二つずつ掛け式連結しているプラスチック製複合板には、第一プラスチック製複合板は、ライニングをその中に埋め込み、当ライニングの上に第一プラスチック製複合板の外に露だしている掛け式溝があり、第二プラスチック製複合板は、ライニングをその上に埋め込み、当ライニングの上に配置されて第二プラスチック製複合板から突き出ている掛け式スナップがあり、第一プラスチック製複合板と第二プラスチック製複合板は当スナップを掛け式溝に掛かることによって固定連結する。
【００１２】
前記プラスチック製複合板のパネルや底板は全部吸い込むことによって成型するプラスチック板の結合板であり、パネルと底板の重ね合わせ部はプラスチック製複合板の側面あるいは底板に位置して、パネル、底板の重ね合わせ部はゴムのりで或いは熔接してつながる。
【００１３】
前記プラスチック製複合板のパネルや底板はみんなプラスチックシートであり、パネルと底板の周辺にはエッジシーリングを包む。
【００１４】
前記プラスチック製複合板のパネルと底板の縁部は積層してつながって、底板の縁部は内側に吸い込んで一つの階段になって、その高さはパネルの厚さと同じ，パネルの縁部は階段と一致する。
【００１５】
前記底板の縁部は上に向いて折ってライニング側面の一部を包んで、パネルの縁部は下に向いて折ってライニングの側辺と底板の縁部を包んで、ライニングの側辺でパネルの側辺は底板と固定連結する。
【００１６】
前記底板の縁部がライニングの底辺に近づき、底板の縁部をライニングの底辺の中央と固定連結して、パネルの縁部を下に向いて折ってライニングの側面を包んで、ライニングの底辺でパネルの縁部を底板の縁部と固定連結する。
【００１７】
前記巣状芯は紙基材からできた巣状紙芯であり、それは一体にライニングの中央に配置し、或いは数塊に分けてライニングの裏や外に配置される。
【００１８】
前記巣状紙芯は単層の紙基材で作ったものである。
【００１９】
前記巣状紙芯は単層の巣状板紙から形成して、巣状板紙は巣状紙芯と上紙と下紙から構成して、巣状紙芯を上紙と下紙の間に挟んで、そして上紙や下紙と粘着して固定連結する。
【００２０】
前記スナップはプラスチック製のリンク、L形に折る金属板、直接にプレス成型してL形になったシート、又は階段があるピンを持ち、前記掛け式溝は長方形の溝、楕円形の溝又は階段がある溝であり、それに掛け式溝の構造はスナップと対応する。
【００２１】
前記第一プラスチック製複合板と第二プラスチック製複合板は「L」型、「T」型或いは「一」字型を呈して固定接続する。
【００２２】
本発明はまた次の技術手段を採用する。
【００２３】
複合板戸棚において、複数の支え板と複数の棚があり、棚を支え板と固定連接し、支え板をお互いに連接して戸棚の枠組を形成し、棚と支え板の取合せで複数の放置空間を形成し、前記支え板と棚の全体或いは一部分は複合板からなって、前記複合板はパネル、底板、ライニングと巣状芯からなつて、そのライニングの一部は巣状芯、パネルと底板に包まられて、他の一部は外に突き出している。この構造はライニングを外に現れ出している構造であり、主に外部の枠組になって使って、その中央部を透かして材料を節約するのができる。
【００２４】
本発明は造形が変わるもう一つの手段として戸棚の枠組が金属である。具体的には、枠組と複数の棚を有し、棚を外部枠組に固定接結して、棚と外部枠組の取合せで複数の放置空間になり、外部枠組が管状の金属基材から製造されて、棚の全体或いは一部が複合板からなっていて、その複合板はパネル、底板、巣状芯を含んで、巣状芯をパネルと底板の間に充填する。
【００２５】
また、前記複合板にはライニングも含んで、そのライニングは巣状芯の周辺に沿って完全に或いは間隔があって巣状芯を包んでいて、各支え板の互いに連結した所或いは支え板と棚を連接している所に配置される。
【００２６】
本発明の前記巣状芯は発泡したプラスチック材料に取って代わることができて、好ましい状態には一種の発泡した板材。
【００２７】
（作用）本発明は、戸棚に関する新型的な複合板材を目的として提供する。その外、
連結力を高めて、解体できて、連結し易い複合板戸棚を目的として提供する。このような複合戸棚は全体の重さが低く、運送や組み立てることにも便利です。
【発明を実施するための最良の形態】
【００２８】
以下、本発明について、図面を参照しながら、詳しく説明する。本発明の複合板からなる戸棚には、一形態の複合洋服たんす、一形態の門を付けた独立の複合戸棚、一形態の独立の複合戸棚、一形態の複合本棚一、それに一形態の複合本棚二がある。
実施例一
【００２９】
一形態の複合洋服たんすには、図1に示すように、左側支え板１０、右側支え板12、上で横になる支え板セット１４、下で横になる支え板セット１６、後ろ側支え板セット１８、左側棚２０、右側棚２２、左側で横になる棚２４、右側で横になる棚２６、それに四つの中央で横になる棚２８が含んでいる。
【００３０】
左側支え板１０、右側支え板12、上で横になる支え板セット１４、下で横になる支え板セット１６は固定連結して、長方形の外部枠組を形成する。
【００３１】
左側棚２０、右側棚２２は左側支え板１０、右側支え板１２と平行して、別々に外部枠組の内側に固定連結する。
【００３２】
上で横になる支え板セット１４は左側の上で横になる支え板３０、中央の上で横になる支え板３４、それに右側の上で横になる支え板３２からなる。左側の上で横になる支え板３０は左側支え板１０と左側棚２０の上端面に固定連結する。中央の上で横になる支え板３４は左側棚２０と右側棚２２の上端面に固定連接する。右側の上で横になる支え板３２は右側仕棚２２と右側支え板１２の上端面に固定連結する。
【００３３】
下で横になる支え板セット１６は左側の下で横になる支え板３６、中央の下で横になる支え板４０、それに右側の下で横になる支え板３８からなる。左側の下で横になる支え板３６は左側支え板１０と左側棚２０の下端面に固定連結する。中央の下で横になる支え板４０は左側棚２０と右側棚２２の下端面に固定連結する。右側の下で横になる支え板３８は右側棚２２と右側支え板１２の下端面に固定連結する。
【００３４】
後ろ側支え板セット１８は左の後ろ側支え板４２、中央の後ろ側支え板４６、右の後ろ側支え板４４からなる。左の後ろ側支え板４２は左側支え板１０と左側棚２０の後ろ端面の間に固定連結する。中央の後ろ側支え板４６は左側棚２０と右側棚２２の後ろ端面の間に固定連結する。右の後ろ側支え板４４は右側棚２２と右側支え板１２の後ろ端面の間に固定連結する。
【００３５】
左側で横になる棚２４は左側支え板１０と左側棚２０の間に固定連結する。右側で横になる棚２４は右側棚２２と右側支え板１２の間に固定連結する。四枚の横になる棚２８はそれぞれ均一に左側棚２０と右側棚２２の間に固定連結する。
【００３６】
前記の固定連結はみんな解体できる掛けしき連結である。
【００３７】
左側支え板１０、右側支え板１２、左側の上で横になる支え板３０、中央の上で横になる支え板３４、それに右側の上で横になる支え板３２、左側の下で横になる支え板３６、中央の下で横になる支え板４０、それに右側の下で横になる支え板３８、左の後ろ側支え板４２、中央の後ろ側支え板４６、右の後ろ側支え板４４、左側棚２０、右側棚２２、左側で横になる棚２４、右側横になる棚２６、それに四枚の横になる棚２８は皆プラスチック製複合板である。
【００３８】
以下、具体的にプラスチック製複合板の構造を説明する。以下で述べるプラスチック製複合板の構造には十一の形態がある。
複合板の形態一
【００３９】
形態一の複合板は、図２、図２．１に示すように、パネル４８、底板５０、巣状芯５２とライニング５４からなる。パネル４８の外縁部は下に向いて延伸して、第一上包み辺５６を形成し、或いは、パネル48の外縁部を下に折って、底板５０の外縁部を上に向いて延伸して、第一下包み辺５８を形成し、或いは、底板50の縁部は上に向いて折る。
【００４０】
ライニング５４の横断面は「口」字型に似って、巣状芯５２をパネル４８と底板５０の間に充填し、ライニング５４がパネル４８と底板５０の間に挟まれ、且つライニング５４は巣状芯５２の周辺に沿って完全に巣状芯５２を包んでいる。第一下包み辺５８の裏側面と巣状芯５２の表側面の間はゴムのりで固定連接して、第一上包み辺５６の裏側面と第一下包み辺５８の表側面の間はゴムのりで固定連接する。
複合板の形態二
【００４１】
形態二の複合板は、図３に示すように、パネル４８、底板５０、巣状芯５２とライニング５４からなる。パネル４８の外縁部は下に向いて延伸して第一上包み辺５６を形成し、底板５０の外縁部は上に向いて延伸して，第一下包み辺５８を形成する。第一下包み辺５８中央少し下の部位は裏に向いて、階段ができ、階段の高さはやく第一上包み辺５６の厚さと同じ、それに階段は第一上包み辺５６の下端面に対応して位置する。
【００４２】
ライニング５４の横断面は「口」字型に似ている。巣状芯５２をパネル４８と底板５０の間に充填し、ライニング５４がパネル４８と底板５０の間に挟まれ、且つライニング５４は巣状芯５２の周辺に沿って完全に巣状芯５２を包んでいる。階段の上に位置する第一下包み辺５８の裏側面と巣状芯５２の表側面の間はゴムのりで固定連接して、第一上包み辺５６の裏側面と階段の上に位置する第一下包み辺５８の表側面の間はゴムのりで固定連接する。
複合板の形態三
【００４３】
形態三の複合板は、図４に示すように、パネル４８、底板５０、巣状芯５２とライニング５４からなる。パネル４８の外縁部は下に向いて延伸して第一上包み辺５６を形成する。底板５０の外部は下に凹んで溝６０を形成し、溝６０の外側支え板は第一下包み辺５８になる。
【００４４】
第一下包み辺５８中央少し下の部位は裏に向いて階段ができ、階段の高さは大体第一上包み辺５６の厚さと同じ、それに階段は第一上包み辺５６の下端面に対応して位置する。
【００４５】
ライニング５４の横断面は「口」字型に似いる。溝６０の深さは約ライニング５４の高さと同じ、巣状芯５２はパネル４８と底板５０の間に充填し、ライニング５４はパネル４８と底板５０の間に挟まれ、且つライニング５４は溝６０の内に接着する。第一上包み辺５６の裏側面の上部と巣状芯５２の表側面の間はゴムのりで固定連接して、第一上包み辺５６の裏側面の下部と第一下包み辺５８の表側面の間はゴムのりで固定連接する。  
複合板の形態四
【００４６】
形態四の複合板は、図５に示すように、パネル４８、底板５０、巣状芯５２とライニング５４からなる。パネル４８の外縁部は下に向いて延伸して第一上包み辺５６を形成する。底板５０の外部は下に凹んで溝６０を形成する。溝６０の外側支え板は上に向いて延伸して第一下包み辺５８を形成する。
【００４７】
第一下包み辺５８の中央少し下の部位は裏に向いて階段ができ、階段の高さは大体第一上包み辺５６の厚さと同じ、それに階段は第一上包み辺５６の下端面に対応して位置する。
【００４８】
ライニング５４の横断面は「L」字の側面型に似いる。「L」字型のライニング５４には下辺部、下辺部と固定連接する側辺部がある。溝６０の深さは約「L」字型のライニング５４の高さと同じである。
【００４９】
巣状芯５２はパネル４８と底板５０の間に充填し、ライニング５４はパネル４８と底板５０に挟まられ、ライニング５４は巣状芯５２の周辺を沿って巣状芯５２を完全に包んで、且つ「L」字型のライニング５４の下辺部は溝６０に接着し、側辺部の裏側面と巣状芯５２の表側面の間はゴムのりで固定連接する。図５.１のように示す。
【００５０】
階段の上に位置する第一下包み辺５８の裏側面と側辺部の表側面の間はゴムのりで固定連接して、第一上包み辺５６の裏側面と階段の上に位置する第一下包み辺５８の表側面の間はゴムのりで固定連接する。
複合板の形態五
【００５１】
形態五の複合板は図６に示すように、パネル４８、底板５０、巣状芯５２とライニング５４からなる。パネル４８の外縁部は下に向いて延伸して第一上包み辺５６を形成する。底板５０の外部は下に凹んで溝６０を形成する。溝６０の外側支え板は上に向いて延伸して第一下包み辺５８を形成する。
【００５２】
第一下包み辺５８の中央少し下の部位は裏に向いて階段ができ、階段の高さは大体第一上包み辺５６の厚さと同じ、それに階段は第一上包み辺５６の下端面に対応して位置する。
【００５３】
ライニング５４の横断面は「L」字の側面型に似ている。「Ｌ」字型のライニング５４には下辺部、それに下辺部と固定連接する側辺部がある。側辺部の裏側面には複数の波状な突起がある。溝６０の深さは約「L」字型のライニング５４の高さと同じである。
【００５４】
巣状芯５２はパネル４８と底板５０の間に充填し、ライニング５４はパネル４８と底板５０に挟まられ、ライニング５４は巣状芯５２の周辺を沿って、巣状芯５２を完全に包んで、且つ「L」字型のライニング５４の下辺部は溝６０に接着し、側辺部の波状な突起は巣状芯５２の表側面に近づいている。
【００５５】
階段の上に位置する第一下包み辺５８の裏側面と側辺部の表側面の間はゴムのりで固定連接して、第一上包み辺５６の裏側面と階段の上に位置する第一下包み辺５８の表側面の間はゴムのりで固定連接する。
複合板の形態六
【００５６】
形態六の複合板は、図７に示すように、パネル４８、底板５０、巣状芯５２とライニング５４からなる。パネル４８の外縁部は下に向いて延伸して第一上包み辺５６を形成する。底板５０の外部は下に凹んで溝６０を形成する。溝６０の外側支え板は第一下包み辺５８に形成する。
【００５７】
第一下包み辺５８の中央少し下の部位は裏に向いて階段ができ、階段の高さは大体第一上包み辺５６の厚さと同じ、それに階段は第一上包み辺５６の下端面に対応して位置する。
【００５８】
ライニング５４の横断面は「口」字型に似いる。溝６０の深さは約ライニング５４の高さの半分である。巣状芯５２はパネル４８と底板５０の間に充填し，ライニング５４はパネル４８と底板５０に挟まられ、ライニング５４は巣状芯５２の周辺に沿って巣状芯５２を完全に包んで、且つライニング５４の下半部と溝６０に接着し、上半部の裏側面は巣状芯５２の表側面に接着する。
【００５９】
第一下包み辺５８の裏側面とライニング５４の表側面の間はゴムのりで固定接着して、第一上包み辺５６の裏側面と階段の上に位置する第一下包み辺５８の表側面の間はゴムのりで固定接着する。
複合板の形態七
【００６０】
形態七の複合板は、図８に示すように、パネル４８、底板５０、巣状芯５２とライニング５４からなる。パネル４８の外縁部は下に向いて延伸して第一上包み辺５６を形成して、第一上包み辺５６の下縁部は裏に加工して、角になる。底板５０の外部は下に延伸して、一つの階段ができる。
【００６１】
ライニング５４の横断面「口」字型に似ていて、その中に二つの補助層６４はその裏に固定連結する。ライニング５４主体の下縁部のある位置は下に向いて突き出して、突起６２になる。当位置は階段の表端面と角の間にあり、即ち、突起６２は階段の表端面と角の裏端面の間に着き合う突起６２の高さはパネル４８の厚さと同じである。階段の高さはライニング５４の高さの半分である。
【００６２】
階段と第一上包み辺５６は溝に似る物になる。
【００６３】
巣状芯５２はパネル４８と底板５０の間に充填し、ライニング５４はパネル４８と底板５０に挟まられ、ライニング５４は巣状芯５２の周辺を沿って、巣状芯５２を完全に包んで、且つライニング５４の下半部は溝に接着し、上半部の裏側面は巣状芯５２の表側面に接着する。
【００６４】
第一上包み辺５６の裏側面とライニング５４の表側面はゴムのりで固定接着する。
複合板の形態八
【００６５】
形態八の複合板は、図９に示すように、パネル４８、底板５０、巣状芯５２とライニング５４からなる。
【００６６】
底板５０は下に向いて延伸して主階段ができる。ライニング５４の横断面「口」字型に似ていて、強さを高めるために、複数の補助層６４はその裏に固定連接する。ライニング５４主体の表側面は円弧面である。ライニング５４主体の上部は下に向いて加工して、上階段ができ、その高さは大体パネル４８と同じである。ライニング５４主体の下部は上に向いて加工して、下階段ができ、その高さは大体底板５０の厚さと同じである。ライニング５４の高さは大体パネル４８と主階段の間の高さである。
【００６７】
巣状芯５２はパネル４８と底板５０の間に充填し、ライニング５４はパネル４８と底板５０に挟まられて、且つライニング５４は巣状芯５２の周辺を沿って巣状芯５２を完全に包んでいる。
【００６８】
ライニング５４の上階段はパネル４８に近づいて、下階段は主階段の表側面に近づく。ライニング５４主体の下部と上部はゴムのりで別々にパネル４８の下端面と主階段の上端面に固定接着する。
複合板の形態九
【００６９】
形態九の複合板は、図１０に示すように、パネル４８、底板５０、巣状芯５２とライニング５４からなる。
【００７０】
ライニング５４主体の横断面は「U」字の側面型に似いて、その下端面と上端面は別々に延伸して、定位部になる。ライニング５４の表側面は円弧面である。ライニング５４主体の上部は下に向いて加工して、上階段ができ、その高さは大体パネル４８の厚さと同じである。ライニング主体５４の下部は上に向いて加工して、下階段ができ、その高さは大体底板５０の厚さと同じである。ライニング５４の高さは大体パネル４８と底板５０の間の高さである。
【００７１】
巣状芯５２はパネル４８と底板５０の間に充填し、ライニング５４はパネル４８と底板５０に挟まられて、且つライニング５４は巣状芯５２の周辺を沿って、巣状芯５２を完全に包んでいる。
【００７２】
ライニング５４主体の上階段はパネル４８の表側面に近づいて、下階段は底板５０の表側面に近づく。ライニング５４主体の下部と上部はゴムのりで別々にパネル４８の下端面と底板５０の上端面に固定連接する。
複合板の形態十
【００７３】
形態十の複合板は、図１１に示すように、パネル４８、底板５０、巣状芯５２とライニング５４からなる。パネル４８の外縁部は下に向いて延伸して第一上包み辺５６を形成してする。底板５０の縁部は下に凹んで、一つの階段状の溝６６ができて、階段状の溝６６の外周辺は上に延伸して、第一下包み辺５８を形成する。
【００７４】
第一下包み辺５８中央少し下の部位は裏に向いて加工して、階段ができ、階段の高さは大体第一上包み辺５６の厚さと同じ、それに階段は第一上包み辺５６の下端面に対応して位置する。
【００７５】
ライニング５４には下辺部、それに下辺部に固定連結する側辺部がある。下辺部は下底辺と、下底辺を上に延伸して形成した「┓」型部と、「┓」型部に固定連接している頂辺からなる。下辺部の構造は階段状の溝６６の構造に対応する。
【００７６】
巣状芯５２はパネル４８と底板５０の間に充填し、ライニング５４はパネル４８と底板５０から挟まられて、側辺部の波状突起は巣状芯５２の表側面に近づいて、且つライニング５４は巣状芯５２の周辺を沿って、巣状芯５２を完全に包んでいる。
【００７７】
階段の上に位置する第一下包み辺５８の裏側面とライニング５４の表側面の間はゴムのりで固定接着して、第一上包み辺５６の裏側面と階段の上に位置する第一下包み辺５８の表側面の間はゴムのりで固定接着する。
複合板の形態十一
【００７８】
形態十一の複合板は図４４のように、戸棚用の複合板のまた一つの構造である。その複合板はパネル４８、底板５０からなる。その芯は巣状芯５２であり、その特長は一体の巣状芯ではなく、巣状芯主体５２と巣状芯の角５２．１からなる。このような構造は周囲の強さを高めることに役目を立ち、またはライニングをインストールするのにも便利である。
【００７９】
前記のプラスチック複合板のパネル４８、底板５０は全部吸い込むことによって成形した単層や積層プラスチック板である。プラスチック板の厚さは０.３〜４ミリメートルである。前記プラスチック製複合板のパネル４８と底板５０の表面にみんな印刷層或いはフィルムがあって、印刷層やフィルムには木材や大理石材質の天然の色と模様がついている。
【００８０】
必要に応じて、前記プラスチック製複合板の裏にはみんな強化件６８を設計して、強化件６８はプラスチック製複合板の強さを増加することができ、それはライニング５４の裏に配置されて、またはライニング５４の表側面に固定連結されて、実際に強化件６８もライニングの一形態である。プラスチック製複合板の裏にある強化件６８には管状件、押出型材、射出成型製品或いは金物がある。すなわち、前記プラスチック製複合板には強化件６８を設置するほか、或いは強化件６８とライニング５４を一緒に設置するほか、巣状芯５２も充填する。巣状芯５２の基材は紙、プラスチックや発泡した材料である。巣状芯５２は紙基材からできた巣状芯の場合、一体でライニングの中央に敷いて、或いは数塊に分けてライニングの裏や外に配置される。紙基材からできた巣状芯は単層の巣状紙芯である。巣状板紙は単層の巣状紙芯、上紙、下紙からなる。巣状紙芯は上紙と下紙の間に挟まられで、固定連結する。
【００８１】
左側支え板１０、右側支え板１２、左側の上で横になる支え板３０、中央の上で横になる支え板３４、それに右側の上で横になる支え板３２、左側の下で横になる支え板３６、中央のしたで横になる支え板４０、それに右側の下で横になる支え板３８、左の後ろ側支え板４２、中央の後ろ側支え板４６、右の後ろ側支え板４４、左側棚２０、右側棚２２、左側横になる棚２４、右側横になる棚２６、四つの中央で横になる棚２８はみんなプラスチック製複合板である。その中で、二つのプラスチック製複合板ごとには、そのつながりは皆解体できるリンクである。二つのプラスチック製複合板ごとには、強化件６８は第一のプラスチック製複合板に配置されて、その上に第一のプラスチック製複合板から現せ出したかけ式溝７０がある。強化件６８は第二のプラスチック製複合板に配置されて，その上に第二のプラスチック製複合板から突き出したスナップ７２がある。第一のプラスチック複合板と第二のプラスチック複合板はスナップ７２をかけ式溝７０にかけることにより固定連結する。第二のプラスチック製複合板にあるスナップ７２は第二のプラスチック製複合板にある強化件６８と熔接、リベット、ねじで固定連結する。第一のプラスチック複合板と第二のプラスチック複合板は「L」字型、「T」字型、「一」字型を呈して固定連結する。
【００８２】
スナップ７２はプラスチック製のリンク、L形に折る板金製品、直接にL形にプレスしたシート或いは階段形の釘がある。前記掛け式溝７０は長方形の溝、楕円形の溝あるいは階段形の溝で、しかも掛け式溝７０の構造はスナップ７２と対応する。
【００８３】
以下、実施例にある戸棚用の各プラスチック製の複合板の掛け式溝７０とスナップ７２の配合、それにその結構を詳しく説明する。
【００８４】
必要に応じて、左側支え板１０、右側支え板１２、左側棚２０、右側棚２２の上に別々に定位環が配置されて、また水平になる左上バー７４、左下バー８０及び水平になる右バー７６が別に配置されている。左上バー７４と左下バー８０の左右両端はそれぞれ左側支え板１０の定位環と左側棚２０の定位環に固定連結する。右側バー７６の左右の両端はそれぞれ右側支え板１２、右側棚２２の定位環に固定連接する。左側支え板１０、右側支え板１２、左側棚２０、右側棚２２のプラスチック複合板の裏には複数の補助件７８があって、補助件７８はライニング５４または強化件６８に固定連結する。定位環はある一つの補助件７８に固定連結し、そしてプラスチック複合板の表側面を突き出している。
【００８５】
左側支え板１０は、図１２、図１３、図１４、図１５に示すように、その周辺に強化件６８が配置されて、上端にある強化件６８には二つのスナップ７２が配置されて、後ろにある強化件６８には五つのかけしき溝７０があって、後ろにある強化件６８の右側面には一つのプラグイン８２がある。その底にある強化件６８には受件８８がある。左側支え板１０の中央の右側の補助件の上にはかけ式溝７０がある。
【００８６】
右側支え板１２は、図１６、図１７、図１８、図１９に示すように、その周辺に強化件６８が配置されて、上端にある強化件６８には二つのスナップ７２が配置されて、後ろにある強化件６８には五つのかけしき溝７０があって、後ろにある強化件６８の左側面には一つのプラグイン８２がある。その底部にある強化件６８には受件８８がある。右側支え板１２の中央の左側の補助件の上にはかけ式溝７０がある。
【００８７】
左側棚２０は、図２０、図２１、図２２に示すように、その周辺に強化件６８が配置されて、上端にある強化件６８には二つのスナップ７２が配置されて、後ろにある強化件６８には五つのかけしき溝７０がある。後ろにある強化件６８の左側面には一つのプラグイン８２があって、右側面には四つのプラグイン８２がある。その底部にある強化件６８には受件８８がある。左側棚２０の中央の左右側面の補助件の上にはかけ式溝７０がある。
【００８８】
右側棚２２は、図２３、図２４、図２５に示すように、その周辺に強化件６８が配置されて、上端にある強化件６８には二つのスナップ７２が配置されて、後ろにある強化件６８には五つのかけしき溝７０がある。後ろにある強化件６８の右側面には一つのプラグイン８２があって、左側面には四つのプラグイン８２がある。その底部にある強化件６８には受件８８がある。右側棚２２の中央の左右側面の補助件の上にはかけ式溝７０がある。
【００８９】
左の後ろ側支え板４２は、図２６に示すように、その周辺に強化件６８が配置されて、左右側の強化件６８には均一間隔が合って五つのスナップ７２が配置される。左側の五つのスナップ７２はみんな解体でき、左側支え板１０の五つの溝７０にかけて固定連接する。右側の五つのボタン７２はみんな解体できる方式で左側棚２０にある五つの溝７０にかけて固定連結する。同時に，左右両側はみんな穴８４があって、左側支え板１０のプラグイン８２は解体できる方式で左側の穴８４に刺し込んでいて、左側棚２０のプラグイン８２は解体できる方式で右側の穴８４に刺し込んでいる。
【００９０】
右の後ろ側支え板４４の構造は左の後ろ側支え板４２と同じである。右の後ろ側支え板４４の右側支え板１２と右側棚２２の連接する方法は左の後ろ側支え板４２の左側支え板１０と左側棚２０連接する方法と同じである。
【００９１】
中央の後ろ側支え板４６は、図２７に示すように、その周辺に強化件６８が配置されて、左右側の強化件６８には均一間隔が合って、五つのスナップ７２が配置される。左側の五つのスナップ７２はみんな解体できるほうしきで、左側棚２０の五つの掛け式溝７０にかけて固定連接する。右側の五つのスナップ７２はみんな解体できる方式で、右側棚２２の五つの溝７０にかけて固定連接する。同時に，左右両側はみんな４つの穴８４があって、左側棚２０の４つのプラグイン８２は解体できる方式で左側４つの穴８４に刺し込んでいて、右側棚２２の４つのプラグイン８２は解体できる方式で右側４つの穴８４に刺し込んでいる。
【００９２】
左側の上で横になる支え板３０は、図２８に示すように、その周辺に強化件６８が配置されて、左右側の強化件６８には均一間隔があって、二つの掛け式溝７０が配置される。二つのかけ式溝７０はみんな解体できる方式で、左側支え板１０上端の強化件６８にある二つのスナップ７２とつながる。右側の強化件６８には均一間隔があって、二つのスナップ７２が配置される。
【００９３】
右側の上で横になる支え板３２は、図６８に示すように、その周辺に強化件68が配置されて、左右側の強化件６８には均一間隔があって、二つの掛け式溝７０が配置される。二つの掛け式溝７０はみんな解体できる方式で、右側支え板１２上端の強化件６８にある二つのスナップ７２とつながる。左側の強化件６８には均一間隔があって、二つのスナップ７２が配置される。
【００９４】
中央の上で横になる支え板３４は、図３０に示すように、その周辺に強化件６８が配置されて、左側の強化件６８には均一間隔があって、二つの掛け式溝７０が配置される。二つの掛け式溝７０はみんな解体できる方式で、左側の上で横になる支え板３０右側の強化件６８にある二つのスナップ７２とつながる。右側の強化件６８は均一間隔があって、二つの掛け式溝７０が配置される。二つの掛け式溝７０はそれぞれ解体できる方式で、右側の上で横になる支え板３２左側の強化件６８にある二つのスナップ７２とつながる。
【００９５】
同時に、左側の上で横になる支え板３０、右側の上で横になる支え板３２と中央の上で横になる支え板３４は左側支え板１０、右側支え板１２、左側棚２０と右側棚２２の上端面にちかづく。
【００９６】
左側の下で横になる支え板３６は、図３１、図３２に示すように、その周辺に強化件６８が配置されて、左右側の強化件６８の下はみんなつながり件８６が配置される。つながり件８６は左側支え板１０、左側棚２０の受件８８と固定連結する。
【００９７】
右側の下で横になる支え板３８の結構は左側の下で横になる支え板３６の構造と同じである。そのつながり件８６は右側支え板１２及び右側仕棚２２の受件８８と固定連結する。
【００９８】
中央の下で横になる支え板４０は、図３３、図３４に示すように、その周辺に強化件６８が配置されて、左右側の強化件６８の下にみんなつながり件８６が配置される。つながり件８６は左側棚２０の受件８８と右側棚２２の受件８８と固定連接する。
【００９９】
左側横になる棚２４は、図３５、図３６に示すように、その周辺に強化件６８が配置されて、左右側の強化件６８の下にはみんな一つのスナップ７２が配置される。二つのスナップ７２はそれぞれ解体できる方式で、左側支え板１０、左側棚２０の中部の補助件にある掛けしき溝７０とつながる。左側横になる棚２４の下部には固定バー９０が配置された。
【０１００】
右側横になる棚２６は左側横になる棚２４と同じ構造である。その二つのスナップ７２はそれぞれ解体できる方式で、右側支え板１２、それに右側棚２２の中部にある補助件の掛けしき溝７０とつながる。
【０１０１】
四つの中央で横になる仕切り板２８は、図３７、図３８に示すように、その周辺に強化件６８が配置されて、左右側の強化件６８の下にはみんな一つのスナップ７２が配置される。二つのスナップ７２はそれぞれ解体できる方式で、左側棚２０、それに右側棚２２の中部にある補助件の掛けしき溝７０とつながる。中央で横になる棚２８の下部には固定バー９０が配置された。
実施例二
【０１０２】
一形態のドアーを付けた独立戸棚は、図３９に示すように、上端板９２、後ろ板９４、下端棚９６、中部棚９８、両側板１００と二つの門１０２からなる。その中で，上端板９２、下端棚９６、両側板１００は支え板である。上端板９２、下端棚９６、両側板１００は長方形の枠組に形成して、後ろ板９４は枠組の後部と固定連接する。中部棚９８は枠組に固定連接する。二つの門１０２の片側は回転できる方式で枠組前部の左右両側に連接する。
【０１０３】
上端板９２、後ろ板９４、下端棚９６、中部棚９８と両側板１００は前記のプラスチック製複合板からなる。
【０１０４】
上端板９２、後ろ板９４、下端棚９６、中部棚９８と両側板１００の間の固定連結は全部解体できる掛けしき固定連結である。その中で、二つのプラスチック製複合板ごとのつながりは皆解体できるリンクである。二つのプラスチック製複合板ごとには、強化件６８は第一のプラスチック製複合板に配置されて、その上に第一のプラスチック製複合板の表面から現れ出しているかけ式溝７０がある。強化件６８は第二のプラスチック製複合板に配置されて、その上に第二のプラスチック製複合板の表面から突き出しててるスナップ７２がある。第一のプラスチック複合板と第二のプラスチック複合板スナップ７２をかけ式溝７０にかけることにより固定連結する。第二のプラスチック製複合板にあるスナップ７２は第二のプラスチック製複合板にある強化件６８と熔接する或いはリベット、ねじで固定連結する。第一のプラスチック複合板と第二のプラスチック複合板は「L」字型、「T」字型、「一」字型を呈して、固定連結する。
【０１０５】
二つの門１００の裏にある強化件６８にはプラスチック複合板の表面から突き出している第一連結件が配置されて、上板９２、下端棚９６にある強化件６８にはプラスチック複合板の表面から現れ出している第二連結件が配置されて、第一連結件と第二連結件は転回できる方式で連結する。
実施例三
【０１０６】
本実施例三は実施例二と違っているところには、一形態の戸棚は、図４０に示すように、上端板９２、下端棚９６、中部棚９８と両側板１００を含んでいる。その中で、上端板９２、下端棚９６、両側板１００は支え板である。上端板９２、下端棚９６、両側板１００は長方形の枠組に形成し、中部棚９８は枠組内に固定連結する。
実施例四
【０１０７】
一形態の複合本棚一は、図４１に示すように、四つの支え板１０８と六つの横板１１０からなる。二つの支え板１０８は縦方向で固定連結して、一つの縦板になる。もう二つの支え板１０８は縦方向で固定連結して、また一つの縦板になる。二つの縦板は対応している。六つの横板１１０は二つの縦板の間に固定連結する。
【０１０８】
四つの支え板１０８と六つの横板１１０はみんな実施例一に説明したプラスチック複合板からなる。
【０１０９】
四つの支え板１０６と六つの横板１０８の間の固定連結はみんな解体できる掛けしき連結である。その中で、二つのプラスチック製複合板のつながりは皆解体できるリンクである。二つの掛け式連結するプラスチック製複合板ごとには、強化件６８は第一のプラスチック製複合板に配置されて、その上に第一のプラスチック製複合板から現れ出しているかけ式溝７０がある。強化件６８は第二のプラスチック製複合板に配置されて、その上に第二のプラスチック製複合板から突き出しているスナップ７２がある。第一のプラスチック複合板と第二のプラスチック複合板はスナップ７２をかけ式溝７０にかけることにより固定連結する。第二のプラスチック製複合板にあるスナップ７２は第二のプラスチック製複合板にある強化件６８と熔接或いはリベット、ねじで固定連結する。第一のプラスチック複合板と第二のプラスチック複合板は「L」字型、「T」字型、「一」字型を呈して、固定連結する。
実施例五
【０１１０】
一形態の複合本棚二は、図４１、４２に示すように、四つの支え枠１１０と六つの横板１０８からなる。二つの支え枠１１０は縦方向で連結して、一つの縦板になる。もう二つの支え枠１１０は縦方向で連結して、また一つの縦板になる。二つの縦板は対応している。六つの横板１０８は二つの縦板の間に固定連結する。
【０１１１】
支え枠１１０には二つの縦枠１１２、二つの縦枠１１２の間に連接している三つのバー１１４がある。二つの縦枠１１２はプラスチック製複合枠組であり、パネル、底板、巣状芯、強化件、それにライニングからなる。巣状芯はパネルと底板の間に充填し、ライニングはパネルと底板に挟まれ、パネルと底板は板の外枠組に形成し，外枠組の裏、ライニングの外には巣状芯が充填する。強化件には外枠の表面から現れ出している三つの穴がある。みっつのバー１１４の両端は別々に穴に刺し込んで固定する。強化件はライニングと固定し、縦枠１１２の強さを増加する。
【０１１２】
横板１０８は別々に二つのバー１１４に固定する。
【０１１３】
前記のプラスチック製複合板のパネル、底板は吸い込むことによって成形する単層或いは積層プラスチック板の結合板であり、プラスチック板の厚さはやく０．３〜４ミリメートルである。前記プラスチック製複合板のパネル48と底板50の表面に印刷層或いはフィルムがあって、印刷層やフィルムには木材や大理石材質の天然の色と模様がついている。
実施例六
【０１１４】
図４３に示すように、縦支え板１０、横支え板１４は戸棚の枠になって、且つその中の棚１４、棚１６と数個の放置空間に形成し、縦支え板の下段８２、上段８６はパネル、底板、ライニング、巣状芯から形成した二局部のパネルで、そのライニング８４の一部は外に突き出していて、上段と下段はパネルに包まれている。棚のライニング７４と７６の一部も外に突き出していて、戸棚のつりバーになる。
【０１１５】
なお、本発明は前記実施の形態に限定されるものではなく，すなわち，本発明の範囲や内容に基づいて変形させることが可能であり、それらは本発明の範囲から排除するものではない。
【０１１６】
以上のように本発明は従来の技術と比べて、以下のように、有利な効果が得られる。
【０１１７】
１、本発明による戸棚の重さはひくくて、強さは高い。２、本発明による戸棚の各プラスチック製複合板の間のつながる強さは高くて、つながるのにも便利である。３、本発明による戸棚の各プラスチック製複合板の強さは高い。４、強化件はプラスチック製複合板内で穴埋めして、外観は美観で、加工にも便利で、強化件が使用者に傷つける或は使用者の服を壊す恐れがなくて、安全に使える。５、本発明による戸棚は解体できるリンクで、貯存や運送する時、占める空間は小さい。６、必要によって、ライニングは強化件につかって、枠組の全体は美観で、戸棚の重さが軽く、強さは高く、互いにつながる強さは高くて、つながるのは便利である。
【産業上の利用可能性】
【０１１８】
この発明のプラスチック製複合戸棚には、複数の支え板と複数の棚を連結して枠になって、棚はささえ板に連接し、棚と支え板は一緒になって、複数の放置空間になる。棚とささえ板の全部或いは一部は複合板であって、複合戸棚全体の重さが低く、運送や組み立てることにも便利です。本発明は工業に利用することができ、良好な工業実用性を持つ。
【図面の簡単な説明】
【０１１９】
【図１】本発明の実施例一の複合洋服たんすの立体構造を示す図。
【図２】本発明の実施例一のプラスチック製複合板一の構造を示す断面図。
【図２．１】本発明の実施例一の複合板一の構造を示す分解図である。
【図３】本発明の実施例一のプラスチック製複合板二の構造を示す断面図。
【図４】本発明の実施例一のプラスチック製複合板三の構造を示す断面図。
【図５】本発明の実施例一のプラスチック製複合板四の構造を示す断面図。
【図５．１】本発明の実施例一のプラスチック製複合板四の構造を示す分解図。
【図６】本発明の実施例一のプラスチック製複合板五の構造を示す断面図。
【図７】本発明の実施例一のプラスチック製複合板六の構造を示す断面図。
【図８】本発明の実施例一のプラスチック製複合板七の構造を示す断面図。
【図９】本発明の実施例一のプラスチック製複合板八の構造を示す断面図。
【図１０】本発明の実施例一のプラスチック製複合板九の構造を示す断面図。
【図１１】本発明の実施例一のプラスチック製複合板十の構造を示す断面図。
【図１２】本発明の実施例一の左側支え板のプラスチック製複合板の構造を示す断面図。
【図１３】本発明の実施例一の左側支え板のプラスチック製複合板の構造を示す主視図。
【図１４】本発明の実施例一の左側支え板のプラスチック製複合板の構造を示す俯瞰図。
【図１５】図１２のAの構造を示す一部拡大図。
【図１６】本発明の実施例一の右側支え板のプラスチック製複合板の構造を示す断面図。
【図１７】本発明の実施例一の右側支え板のプラスチック製複合板の構造を示す主視図。
【図１８】本発明の実施例一の右側支え板のプラスチック製複合板の構造を示す俯瞰図。
【図１９】図１６のBの構造を示す一部拡大図である。
【図２０】本発明の実施例一の左側棚のラスチック製複合板の構造を示す断面図。
【図２１】本発明の実施例一の左側棚のプラスチック製複合板の構造を示す主視図。
【図２２】本発明の実施例一の左側棚のプラスチック製複合板の構造を示す俯瞰図。
【図２３】本発明の実施例一の右側棚のプラスチック製複合板の構造を示す俯瞰図。
【図２４】本発明の実施例一の右側棚のプラスチック製複合板の構造を示す断面図。
【図２５】本発明の実施例一の右側棚のプラスチック製複合板の構造を示す主視図。
【図２６】本発明の実施例一の左側の後ろ支え板のプラスチック製複合板の構造を示す断面図。
【図２７】本発明の実施例一の中央の後ろにある支え板のプラスチック製複合板の構造を示す断面図。
【図２８】本発明の実施例一の左側の上にある横支え板のプラスチック製横支える複合板の構造を示す主視図。
【図２９】本発明の実施例一の右側の上にある横支え板のプラスチック製複合板の構造を示す断面図。
【図３０】本発明の実施例一の中央の上にある横支え板のプラスチック製複合板の構造を示す断面図。
【図３１】本発明の実施例一の左側の下にある横支え板のプラスチック製横支える複合板の構造を示す断面図。
【図３２】本発明の実施例一の左側の下にある横支え板のプラスチック製複合板の構造を示す左視図。
【図３３】本発明の実施例一の左側の中央にある板のプラスチック製複合板の構造を示す断面図。
【図３４】本発明の実施例一の左側の中央にある板のプラスチック製複合板の構造を示す左視図。
【図３５】本発明の実施例一の左側にある横棚のプラスチック製複合板の構造を示す断面図。
【図３６】本発明の実施例一の左側にある横棚のプラスチック製複合板の構造を示す左視図。
【図３７】本発明の実施例一の中央にある横棚のプラスチック製複合板の構造を示す断面図。
【図３８】本発明の実施例一の中央にある横棚のプラスチック製複合板の構造を示す左視図。
【図３９】本発明の実施例二の門を付けた独立戸棚の構造を示す立体図。
【図４０】本発明の実施例二の頂部板のプラスチック製複合板の構造を示す断面図。
【図４１】本発明の実施例三の独立戸棚の構造を示す立体図。
【図４２】本発明の実施例四の複合板本棚の構造を示す立体図。
【図４３】本発明の実施例五の複合板戸棚の構造を示す立体図。
【図４４】プラスチック製複合板のまた一形態の構造分解図。
【符号の説明】
【０１２０】
１０左側支え板
１２右側支え板
１４上で横になる支え板セット
１６下で横になる支え板セット
１８後ろ側支え板セット
２０左側棚
２２右側棚
２４左側で横になる棚
２６右側で横になる棚
２８中央で横になる棚
【図１】
2008546434.tif 000003
【図２】
2008546434.tif 000004
【図２．１】
2008546434.tif 000005
【図３】
2008546434.tif 000006
【図４】
2008546434.tif 000007
【図５】
2008546434.tif 000008
【図５．１】
2008546434.tif 000009
【図６】
2008546434.tif 000010
【図７】
2008546434.tif 000011
【図８】
2008546434.tif 000012
【図９】
2008546434.tif 000013
【図１０】
2008546434.tif 000014
【図１１】
2008546434.tif 000015
【図１２】
2008546434.tif 000016
【図１３】
2008546434.tif 000017
【図１４】
2008546434.tif 000018
【図１５】
2008546434.tif 000019
【図１６】
2008546434.tif 000020
【図１７】
2008546434.tif 000021
【図１８】
2008546434.tif 000022
【図１９】
2008546434.tif 000023
【図２０】
2008546434.tif 000024
【図２１】
2008546434.tif 000025
【図２２】
2008546434.tif 000026
【図２３】
2008546434.tif 000027
【図２４】
2008546434.tif 000028
【図２５】
2008546434.tif 000029
【図２６】
2008546434.tif 000030
【図２７】
2008546434.tif 000031
【図２８】
2008546434.tif 000032
【図２９】
2008546434.tif 000033
【図３０】
2008546434.tif 000034
【図３１】
2008546434.tif 000035
【図３２】
2008546434.tif 000036
【図３３】
2008546434.tif 000037
【図３４】
2008546434.tif 000038
【図３５】
2008546434.tif 000039
【図３６】
2008546434.tif 000040
【図３７】
2008546434.tif 000041
【図３８】
2008546434.tif 000042
【図３９】
2008546434.tif 000043
【図４０】
2008546434.tif 000044
【図４１】
2008546434.tif 000045
【図４２】
2008546434.tif 000046
【図４３】
2008546434.tif 000047
【図４４】
2008546434.tif 000048
【国際調査報告】
2008546434.tif 000049
2008546434.tif 000050
2008546434.tif 000051
2008546434.tif 000052
2008546434.tif 000053
2008546434.tif 000054